(57)【要約】【課題】  本発明は、特に電力を身近に安価に生産する事を目的とする。それらにかかわった諸装置も併記する。次なる電磁気学の幕開けとしたい。【解決手段】  本発明は、電磁気学でのクーロン力である誘導電気力で静的に電力生産する機器である。発明機体は、約６点の機能部で構成される。その１は、約６Ｖ程度の種火的サージ電圧発生機部。2は、電磁感応の効率化を図った発電機部。３は、コンデンサー使用の周辺回路が機能するクーロン力による増電部。４は、本発明機体全体電気回路を指揮する各リレー接点位置。５は、同電流制御ダイオード位置。６は、同発電機量を加速させる地中部・空中部導通アンテナ的線。上記６点の機能部を連結させて発明本機を駆動させる。機体は軽量で静的である。特に２の発電機の特殊構造は、他の電気機器、主にモーターにも応用される時高性能を発揮できる。又上記機能部の種々組合せにより、高性能の電気機器も作り出す事ができる。【選択図】図１
2010252562.tif 000002
【特許請求の範囲】
【請求項１】
図１に示す電力発生機の基本電気回路。電気エネルギー発生のための最適駆動回路全般
【請求項２】
発電機の本体構造  発電電気量を調整可能な２つの円筒磁極・コイル・磁石貼付などの特殊な方法と新発電方法の構造機能全般
【請求項３】
本機の構成部品の電源用コンデンサーの特殊な使用による利用方法と充放電時の増電現象やそのメカニズムなどを行わせる充電放電方法の作動回路図
【請求項４】
発電機本体への新電荷源であるエネルギー電力である電子流の注入の図１のＡ点での加給新方法
【請求項５】
図１のＢ点部において、発電機本体からの給電がなしとした時の、他電源から給電出来るという多様性の回路構成
【請求項６】
商業交流電流供給線図１４に示す（２線、３線）を整流ダイオードでもって整流し、図１のＢ点部に印加するという実用方法
【請求項７】
図１５構造を使用して本機発電機体を増電媒体として任意に大小電力の発生を調整して行えるという実用方法。ただしその出力は交流波形で電力を増幅している。
【請求項８】
図２による電気回路図において電源用コンデンサーの直列・並列組み合わせによる昇圧作用と増電構造の大電力化方法
【請求項９】
本発明の発電機の原理を応用してモーターを製作する場合磁気極円筒１本を電機子ローターに外周部円筒1本を電極ステーターとする時と、電極円筒をローター１筒とし磁極円筒２筒を界磁円筒ステーターとする２組のモーターの基本構造。
【請求項１０】
モーターの機体を図１６、図１７でもって製作するとき、従来機と同出力で以って比べる時本機ははるかに小型状を呈するが、その場合、特に図１７の界磁磁極円筒2本、電極円筒１本としたモーター兼発電機はもっとも良い性能を発揮するという機体構造
【請求項１１】
請求項１０でのモーターが軸回転する時、フレミング右手則の原理なる逆起電力が発生するが、その発生電流の消去方法の電気回路
【請求項１２】
新発見電気エネルギーを図１の３Ａ、４Ａによるコンデンサーや図１の５Ａによる装置により簡単に電子流として電気エネルギーを取り出す装置全般
【発明の詳細な説明】
【技術分野】
【０００１】
本発明は発電に対して回転力等や他の駆動力は必要ない構造である。
【０００２】
地球の自然界に普遍的に無尽蔵にあり、今手元にある電気力エネルギーとして存在している。本発明はエネルギーを静的に取り出すための電気機器装置である。
【０００３】
その電気エネルギー取り出し機器装置は、磁石・電磁鋼板・導電線・IC・抵抗・ダイオード・リレー・電源用コンデンサーなど一般にある電子部品の安価な部品の組み立て・組み合わせで成り立つ。
【０００４】
発電のため技術としては、静電誘導を起こさせるコンデンサーの周辺装置と電磁誘導を利用する装置とがあるが、後者では、その効率を最大にする為には、磁石の磁極間を出来る限り狭めることの技術にある。
【０００５】
そこで磁気の感応距離を感応導線の長さいっぱい最大に感応させるため、円筒により円周でもって、感応させ、その感応に断続なく、エンドレス的に磁気感応させる形式をとった。
【０００６】
磁気円筒とした円筒の材質は、電磁鋼板製とし、所定の厚みをもたせ円筒に磁気力を持たせるために、その円筒に磁気力のある磁性体を貼り付けた。
【０００７】
以上の３点の機能部品を組み立て、発電機体単体を完成させたが、この機体は軽量で、簡素で発電機体としては、ごくシンプルな機体の形状をとる。
【０００８】
機体はシンプルであるが、磁極間隔・磁気感応・コイル・電線長さ、それのどれをとっても、磁気感応は、濃密である。
【０００９】
磁極を円筒としたことが、電磁反応の高能率化を生み出し、本発明の中核技術であり、円筒の採用は、様々にある従来機には見られない発電機体となっている。
【００１０】
制作方法は、簡単に云えば、内筒とした筒の外周にコイル状とした導線を巻き、その外側に外筒とした円筒を挿入するのである。筒には、磁気力を持たせ、その磁気力の調整は、磁性体の選択や、貼り付け個数などにより任意に調整可能である。
【００１１】
組み立て完成させた機体のコイル部に電流を流した時どうなるか、古来からある電磁気学の法則にある電磁反応を起こすのは明白である。
【００１２】
ここで0004の項で述べたもう一つの発電のための要素の静電誘導であるが、その誘導を強制的に起こさせるのがコンデンサーを含む周辺装置である。その強制力を起こさせる仕方に電磁気学上でのクーロン力の電気力を応用した。クーロンの法則とは、電磁気学上の重要な基礎要素であるが、その莫大な力は現在その力の現象や、それを真に活用された機器・機構などは、見当たらない。
【００１３】
本発明は、クーロン力の使用をコンデンサーという構造に見つけた。従来のコンデンサーの使用法は、機器の作動の電気回路において電源よりの電圧を低下させることなく回路の末端まで、電源電圧を維持させ作動を維持しコンデンサーは蓄電器（バッテリー）として回路末端の作動を保証してきた。
【００１４】
ちなみに携帯電話やそれらに類似する精密機器には、その作動を維持する為、最小限３００個それ以上のコンデンサーを使用しなければ、完璧な作動はしないといわれている。
【００１５】
本発明に用いるコンデンサーは、それらの使用方法とは全く違う使用方法である。その構造はクーロン力を最も身近にあらわせられる機器として本発明の装置の機材に使用した。
【００１６】
その造電現象は、瞬時に完了し本発明によれば、印加した電源電圧を正確に２倍量に増加させた。この現象はコンデンサーの周辺部品と回路構成とでもって他の多くの機器類に応用できる。
【００１７】
コンデンサー周辺装置や電気回路の正確な構成をもって行われた新電荷源からの造電は、請求項３に請求した
【００１８】
本発明の電力発生機は従来のような発電する為に、回転力を必要とする動力は、必要としない。本機では、小電力による種火的な電源たとえば約6V程度１つあれば作動し活動起動するのである。
【００１９】
本発明の電力発生機体の各部の構成は約４点の要素によって組み合わされている。図１の１Ａは、種火的サージ電圧供給機。図１の２Ａは、円筒構造による発電機部。３点目は、図１の３Ａ、４Ａ周辺の電源用コンデンサーによる電力増倍部とその駆動回路。４点目は今まで開発されていなかった新発明の電荷源からの電荷吸い上げと電子流周回充電システムなどで構成している。
【００２０】
本機を最良に発電させる為には、種火的電源とした図１の１Ａの装置から高圧のサージ電圧を供給するのが望ましい。
【００２１】
本機の作動を円滑にする為の電気回路上のタイミングは、サージ電圧発生のための周波数の選定・電源用コンデンサーの容量などにより、各機能部間にあるリレー（機械式やトランジスター式でもよい）接点の開閉作動や周波数などはそれらにより選定され、接点の位置・作用などはその正確性が求められる。
【００２２】
電源用コンデンサーの組み合わせの仕方により図２による（並列・直列接続）新電荷源からの電力増倍効果もあって、大エネルギー出力のプラントにもなる。
【００２３】
この本発明の電力発生機の中の図１の２Ａの発電機本体や、図１２による電源用コンデンサー増倍作用などを単体にて利用して従来の商業用電源を給電電源として結合して利用する時、家庭用電力の節約や、増倍することも出来る。
【００２４】
ここで電力発生機を使用するにあたり、アンテナ線的な導線が設置されないような状況の時、たとえば自動車など車載する場合などの時は、図２０に示すような回路構成をもって付属装置に接続することにより解決することもできる。
【背景技術】
【００２５】
従来電力を発生する為の動力源は、水力・火力・地熱・波力・風力・太陽光・化学力・原子力利用など、おおよそ物質的なエネルギー消費の上に成り立っていた。また動力を得る為、電力以外にも産業機械などは、主に石油類であるが、直接に内燃機関やその他いろいろ使用し、その消費量は、ますます資源の枯渇や環境などの問題に直面している。
【００２６】
また、産業機械や機器類においては、ある部分では高度の技術開発により突出した部分もある。一方、他の分野では新たな技術の進展がないのか、忘れ去られたごとく旧態然として抜本的な技術開発がまたれている。現在これが何かにつけ世界的にアンバランスな現状にある。
【発明の概要】
【発明が解決しようとする課題】
【００２７】
本発明の電力発生機は、機器全体として、従来のような発電する為の動力（主に回転力を得る為であるが）は必要としない。小電力による種火的な電源がひとつあれば作動するのである。よって背景技術にて述べた問題点は解決する。
【００２８】
また、本発明の機体の各構成部分を使って従来ある（その必要性はないが）商業用電源の一部を借りて図２や、図１５の装置と連結して、造電倍電力化も簡単にでき、資源問題の解決に貢献できる。
【００２９】
本発明は従来発見されなかった隠れていた電荷源を発見し、それらを集電装置や、電気回路上の仕掛けや仕組みにより実用電気力として実体化させ資源の消費などを助ける。
【００３０】
これらの未開発の電気エネルギーは電気力・電磁力・磁力線・電気力線などとして無限に無尽蔵に埋蔵されている、石油資源などの埋蔵量と違い太陽・空気・水・大地がある限りおおよそ無形物として、無限に取り出すことができる。
【００３１】
それらを本発明は取り出す端緒を見つけ広く人類や生物界のために貢献できることを本願として発表する。
【００３２】
これらのエネルギーは電気力で無形物・無機物・大部分質量がなく、誰でも平等にそれらを得る事ができる。
【課題を解決するための手段】
【００３３】
外部からの動力が不要とする電力発生機はすべて機体の自機内において電力の生産をすることであるが、少なくとも３本のアンテナ的導線を外部の発見電荷源に通電することを必要とする。電荷源は無形として電気エネルギーは莫大量あり、本発明の発電方法は、従来の資源の浪費とは物質的において異なる次元である。
【００３４】
ここに0024に述べたことで、図２０の装置の付加もありうる。
【００３５】
新電荷源に通電するアンテナ的な３本のうちの1本の使用方法であるが、図１の２Ａの発電機体へのサージ電圧給電部図１のＡ点および図１３のA点部に通電させ発電機体が発生する電子流を導通させ、それにより発電機が電力を安定に出力する。
【００３６】
他の2本のアンテナ的導線は、発明機体の内部の２基ある電源用コンデンサーのマイナス電荷極に導通され、図１の２Ａから出力されたプラスの電荷は極に電荷分に相当する電荷を充電し、コンデンサーは、ちょうどプラス電荷とマイナス電荷を合計した分の電荷量を発電し、２倍量を発電したことになる。
【００３７】
このコンデンサーの使用法は、前記に述べた通りであり、従来のコンデンサーの使用法とは全く異なる。造電する能力のあることは今までの使用されている方法とは、次元を異にする。その発電量はクーロンの莫大な電気力がコンデンサーで行ったといえる。
【００３８】
これらの電荷源からの電荷により発電したその電気量は、本発明機体の発電量の大部分をまかなう。
【００３９】
発電気体図１の２Ａの発電した電圧は、コンデンサーのプラス極に印加されるのであるが、図１の１Ａにおいて約６Ｖの電圧を起点として高圧のサージ電圧を発生させ、図１の２Ａの発電機体に給電されるのである。この給電部図１や図１３のA点にも新電荷源からの増電作用がある。
【００４０】
導電線が接続されている前記で述べた3本のうちの導通線の１本であり２Ａの電子流発生を受け持ち、あと２本との合計３本で、本発明機の重要な働きをし、発電・造電の大部分を受け持つ。
【００４１】
発電機本体の構造であるが、電磁極間、電磁気作用を濃密に電磁感応させるという発明手段を開発した。
【００４２】
上記述べた技術などは背景技術の項で述べていた世界的なアンバランスの解消の一助の解決手段となる。
【００４３】
この新電荷源は、地球上（月や火星などには存在しないと思われる）どこでもあり、今足もとにも安全で安定して莫大にある電気エネルギーとして軽量安価な装置によって、造電・発電できる事は、あらゆる方面において最大の解決手段である。
【発明の効果】
【００４４】
当発明を基台として、これからの研究・技術開発により更に機能や構造を進化させた時エネルギー問題は、大部分解消し、エネルギーをめぐる争いもなくなるだろう。
【００４５】
本発明は電気エネルギー生産の新たな方法の発明である。それは新たな産業の開拓を促し、資源問題や環境にも貢献できる。
【００４６】
将来、本発明を基礎として新たな電磁気学の発掘と発見がある事であろう。
【００４７】
手軽な発電機があれば、地球上のどこでも水から燃料が作られ、そのクリーンな燃料が次の生活手段も生み出される。
【００４８】
電気は無からプラスとマイナスが発生され仕事をしプラスとマイナスが合体され又、無に帰す。それは、あたかも水が酸素と水素に分解され、合体してエネルギーを放出し、また水に戻るごとく、そのエネルギー全体はクリーンであり、姿も無であり、エンドレスである。それらの現象は、次なる資源発掘の重要なテーマである。それらをこの発明の効果の口火としたい。電気力はまだまだ未知の部分が多い。
【図面の簡単な説明】
【００４９】
【図１】本発明の実施の形態を示す制御電気回路図
【図２】同回路図の回路を応用した高電圧発生回路図
【図３】２接点機械式リレーの各接点役割図
【図４】本発明発電機体分解模式図
【図５】同機体本体縦断正面図
【図６】同機体本体縦断側面図
【図７】同機体本体コイル導線引出タップ線２０模式図
【図８】同機体本体内外筒部縦断側面図
【図９】同図８拡大電磁気作用図
【図１０】図９によるサージ感応フレミング左手則図
【図１１】同図１０による１８（スラスト受け）付加によるフレミング右手則図
【図１２】本発明静電誘導誘起コンデンサー回路（1部）図
【図１３】本発明主電流周回図１の１Ａ保護フライホイール回路図
【図１４】本発明回路上図１のＢ点部印加商用電源正電荷整流図
【図１５】本発明図１の２Ａ使用による２線式交流電源増倍回路図
【図１６】本発明の２筒（電極１・磁極１）式モーターの縦断側面図
【図１７】本発明の３筒（電極１・磁極２）式モーターの縦断側面図
【図１８】同図１６図による内磁極筒縦断側面の磁力線関係図
【図１９】本発明のモーター内の逆起電力消滅回路図
【図２０】本発明の電力発生機車載時付加回路図
【発明を実施するための形態】
【００５０】
電力発生機の中を構成している発電機本体であるが、従来の発電機では外部からの動力により駆動され発電しているが、本機は全く違った発電方式であるため、その駆動の必要性はない。
【００５１】
その電力起動部は変圧器のような構造を有している。構造は、円筒２本と導線コイル１巻とした３点と円筒に貼付け電気量調整の為の磁石ペレットだけである。
【００５２】
円筒の材質は、電磁鋼板製が最も良く、内筒と外筒とにわかれその円筒と外筒の内径差は、コイル線径とそれの絶縁分の合計の差だけでよく、なるべく間隔は、狭くするのが望ましい。
【００５３】
円筒はこの装置の時、磁極円筒となり磁極筒として作動させる。内筒をN極とした場合外筒はS極を表すようにする。
【００５４】
その内筒に絶縁物などを介して導線をコイル状に巻き付けその外側に外筒とした筒に押入する。
【００５５】
内筒に巻いたコイル端面の両端に、コイルが内筒にそって横方向に移動するのを防止するためスラスト受つばを設ける。
【００５６】
内筒と外筒に磁気力を持たせるため、各筒の内外に磁石等磁気体を貼りつけるのである各極筒は磁極筒となり、コイルと共に３点を組み合わせる事により本体の構造は完成する。円筒という機械抗力の優秀性と円周という物理的エンドレス性能を採用した。
【００５７】
ここにコイル部に任意に電流を印加するときコイルは、印加電流方向により、いずれかの方向に内筒にそって移動する。これはあたかもモーターの駆動力を示すものである。この力をスラスト受けが防止する。この動作は俗に述べるモーターの原理ともなる。
【００５８】
スラスト力を封止された時、その力の方向は反動力となり、仮定的逆向きの力になる。その時、コイル・２磁極それぞれ３点間には、今度はフレミング右手則なる起電力が誘起される。これすなわち発電電流であり、本機の出力電流となる。
【００５９】
ここで発電機体に、発電を励起させる為、サージ電圧を供給した図１３の１Ａには、図１の２Ａの本体の発電により発生した大きな電子流を受容する容積はなくこのままだと図１３の１Ａは破損する。
【００６０】
そこで電子流を図１又は、図１３のA点において５Ａなどダイオードを介して地中または空中へ通電させる。
【００６１】
この電流は、本発明機本体の電気回路網の一端を担うものであり、放電させるのとは意味が少し違うのである。これが本発明の研究の解決点でもあるが、それにより図１３の１Ａを保護するフライホイール回路となる。
【００６２】
ここに電力発生機本体の構造および形式は今までに例のないものになる。軽量といえども持ち運びできるということであるが、地中空中に通電させるアンテナ類が３本必要となる。これだけである。
【００６３】
発電機本体の誘起電力量の調整は、内筒・外筒に貼り付け磁極筒に磁石ペレットなどの貼り付け個数や貼り付け個所にて調整できる。また図７にあるようにコイル巻きからの途中引出しタップ２０にても簡単に設定できる。
【００６４】
軽量簡単コンパクトに製作出来、高性能なその設計は感応磁気力の増強を願って磁気間を狭小に出来たことが大である。また筒壁の磁気力の調整は磁石による性能や個数、大小を選択する事もできる。磁気力の大小の選択は、即、本体形状の大小に比例し関係する。
【００６５】
従来の発電機の駆動力に相当するものは、本機では図１３の１Ａからのサージ電圧が担当し、クーロン力は重力の力などよりはるかにまさる電気力を持っていると言われている。そこで本機の駆動力には、その電気力を以ってし、電気駆動する事を選択し、力という質量消費型の駆動源を装置が軽く簡単である電気力に置き替えた。
【００６６】
本機の全体の電気回路図において、その本機の構成ではパルス発生数と巾（図１３の１Ａ）とサージ電圧生成とその関連に於いては相互関係にあり様々にサージ電圧とパルスを必要に応じて変化させ発電量を調整もできる。
【００６７】
その図１３の１Ａで生成した電圧を図１３の２Ａに印加して今まで述べた説明にある作動をさせる。その電圧を図１にあるB点に導きリレー（図３に詳細説明）に各々並列に導く。
【００６８】
そのリレーであるが、各々接点数において、１〜１２迄あるが、各々の接点の電気的な働きは作用、動作、電気量等、その対応曲面は同一でなく各々違う重要な働きをするものである。ただし開閉の作動タイミングは、この機本体では全リレー同期作動をする。
【００６９】
リレー、３、４、を経て電流は電源作用をするコンデンサー３Ａと４Ａに導かれ今度はその印加する電圧による静電誘導作用によって電圧を発生し蓄電し増倍した電荷蓄積を担任する。
【００７０】
コンデンサーでは電圧は両極板に各々に蓄電した電荷を合成した電位差となり３Ａと４Ａの２基のコンデンサーに蓄電される。
【００７１】
その発生した電圧は、５，６，７，８，９，１０等のリレー作動により出力段に導かれる。これも発明と言える。
【００７２】
コンデンサー、６，８，１０、５、７、９のリレー接点に発生した電圧は、リレー作動により、出力段には交互の供給電圧となり、リレー開閉の２動作の個数を合計すれば、リニアな電圧として確保される。
【００７３】
また電源作用、用コンデンサー部の回路上の作動はコンデンサーの構造特性により、一般的につかわれている使用方法とは異なり、静電誘導という古典的な原理を究明し、コンデンサーに強制的に他所から電荷の誘導を行わせ両極板に満杯電荷を蓄積させる回路をとった。クーロン力の電気力の力を借り新電荷源から、−極板に静電誘導させた。
【００７４】
また回路上のリレー１２の接点作用は重要な作用をする。＋極板側が、電荷充電中である時、１２の接点は接になりダイオードの整流方向特性により回路の決められた方向に電流を流すというより、電子流を一極板に充電させるということになり、コンデンサー全体において、両極満杯の電荷蓄積となる。
【００７５】
この電源用コンデンサー２基の充放電タイミングは、同期でおこなわれ、それぞれ反対の作動状態をとる、リレー接点１２と１１は相互してコンデンサーの一極板へ発明発見電荷源から一電荷を充電させる。
【００７６】
これが最重要であり本機の要であるが、リレー接点１２、１１が開の時はコンデンサーは放電状態にあるが、不安定要因の漏れ電流の発生を防ぐ為のカットオフする役目をする。ダイオードの通電方向の回路上の役割は重要である。
【００７７】
又回路図１３のＡ接点から地中空中回路に設定したダイオードの通過電流方向も回路全体での主電流周回に寄与するものである。
【００７８】
また図２の回路を持つ電力発生機も図１と各機能部作動はほぼ同じ働きをする。異なる点は、コンデンサーに蓄電された電荷量を直列にするか並列にするかして取り出し、電圧のコントロールをするかの違いであるが、大電力の必要性がある時最も最適な回路となる。ただし、図２の回路での出力部への電力供給はリレー周期の半波長分であるため、図２の回路を鏡像としたもう一つの回路を以って、出力アップをはかる機体が必要となる。その時自明のことであるが、リレーの同期タイミングでの開閉は、逆相となる。この発生機体は回路のさらなる組み合わせ方により、強力な電力を供給できる機体になりうる。
【００７９】
図１５のブースター効果を行わせる請求項７は、商業用電源を図１３の２Ａや図１の２Ａの発電機体で以って、増倍し出力側へ供給するものである。この回路の発電機体の作動等は、前に述べたので割愛するが、回路部品の位置や方向は重要である。
【００８０】
また図１と図２では、図１４と関連し一般のコンデンサーの使い方をしていない。特に図１２では、特別な使い方であり、コンデンサーの内部特性を究明して現在使われていない利用方法であるが、単なる使い方のみでは、発明とならないが、図１２はその使い方を集積しさらに技術究明を積み重ねた結果の回路である。請求項３と請求項１２に関連する。
【００８１】
上記、それらの新造電エネルギーはクリーンであり、身近なところにあり、使用は、誰でも自由である。本発明は新発明の機構とともにそれらのエネルギーを取り出す方法を発見して電力エネルギーとして実用できる装置を発明したのである。新機構発明に関連して、種々の発明も考え出されたので、併記する。またそれらのエネルギーと異なるエネルギー発見の端緒も見られたので、それらも末尾に記す。未知の新たに電力を生産する方法でもある。
【００８２】
図１４では商業電源である、２線３線の出力側の正電荷をコンデンサーの給電部にむかわせるべくダイオードの整流作用を以って整一させダイオードの出力側において、集合結線させ図１のＢ点部を経て、コンデンサーの正電荷部に給電する。この時、クーロンの電気力の莫大力をもって負電荷極に地中空中にある電気エネルギー源から瞬時に充電満杯させる。ここに給電・充電と給電電力の倍の電荷の獲得などにこの回路システムを設計した。
【００８３】
図１３の２Ａや図１の２Ａは、高性能を出す様設計製作したが、その構造の応用により、高性能なモーターになる事もできる。それを電動機、モーターとしてみる時従来のモーターにない構造をしたものになる。性能面で見る時、電磁気反応面は従来機になく円筒全周にて反応し力を発生している。またその力には波動がなく、リニアである。従来機とは１回転する時の力の出し方は、数倍を超える。また、構成する導線は、コイル状でなく、電極円筒の縦方向に平行直線となる構造となる。直流ブラシレスモーターとなり導線の電流に変流がなく、熱の発生を起こさない。このモーターの構造は、２種類あり、図１６、図１７に示す。ただし図１７のモーターの使い方が複雑な構造であるが、モーター性能はよい。
【００８４】
図１６に示すモーターは磁極としたローター円筒1本・電極とした電極円筒1本合計２筒のモーターであり、簡単シンプルな構造であり、将来製作精度によるが超細径のモーターにもなりうる。だが図１８に示すように円筒を縦方向の断面図が示すように磁力線の回帰が図のようになり電極円筒との電磁気反応面はせまく少なくなる。
【００８５】
その、この装置構造にとって、不良な磁力線を電磁気反応に有効な磁力線の方向に整一に向かわせなければ、このモーターは機能しない。N極S極のどちらかの磁力線を封止するか、漏れ回帰を防がなければならない。
【００８６】
図１６の３１に示すように円筒の端壁に対向同磁力を発する磁石を貼り付け漏れを封密するか、それ以外の封密技術の完璧な完成がある時、高機能を持ったモーターにもなり、地球磁気にも感応し莫大なエネルギーを取り込んだエネルギー発生機ともなりうる。
【００８７】
磁気磁力線の制御は厄介なものであるが、次の新たなもっとも重要な研究課題ともなり巧くすれば、エネルギ−問題はすべて解決する。又それは、人類の個人までにも及ぶ幸福を得る事ができる。UFOなどのエネルギー源も反磁気を制御したものと感得しているが。古今の戦乱は大部分エネルギー確保が原因であるのである。これらも先に述べたこの地球とのその周辺には莫大なエネルギーがある。人類が滅亡することがあっても、それまで、それを見つけ出せれば十分に幸福に戦争もなく十分人類を食べて生かせることが出来る。その解答は、エネルギーが万物を生み出しているのであるからして、その新たなエネルギーの一部の活用を本発明はその方法に今かじりついた。
【００８８】
さて、請求項１１の逆起電力防止装置であるが、図１９に示すモーターが回転する時、フレミング右手則の原理が働く。それは発電電力であり、印加してモーターを回そうとする電荷を相殺する働きを起こす。そのため回転数は頭打ちとなり、また高回転域では、トルクはいちじるしく減少し、トルク０に近くなる。
【００８９】
そこで、モーター時図１９に示す装置を回路に組み込む時、モーターの回転は無限大に、またトルクも回転に関係なく発生するためモーターの形状をはるかに小型にできる。
【００９０】
特に図１６のモーターでは、漏洩磁力線の封密に成功する時、地球磁気にも感応するモーターになり、あらたな無尽蔵にあるエネルギーの獲得にもなる。
【符号の説明】
【００９１】
１Ａ  サージ電圧発生部
２Ａ  発電機体
３Ａ  発電コンデンサー
４Ａ  発電コンデンサー
５Ａ  電流回路周回ダイオード
６Ａ  アンテナ的導通線ダイオード
７Ａ  出力部
８Ａ  コンデンサー並列セットスイッチ
９Ａ  コンデンサー直列セットスイッチ
１０Ａ  金属媒体（車ボディ・金属インゴット・船体）
１１Ａ  電解液体など
１２Ａ  強力集電磁波アンテナ
Ａ      回路接続点
Ｂ      回路接続点
１      リレー接点作動個所
２      リレー接点作動個所
３      リレー接点作動個所
４      リレー接点作動個所
５      リレー接点作動個所
６      リレー接点作動個所
７      リレー接点作動個所
８      リレー接点作動個所
９      リレー接点作動個所
１０    リレー接点作動個所
１１    リレー接点作動個所
１２    リレー接点作動個所
１３    磁極内筒
１４    磁極外筒
１５    コイル導線
１６    磁極貼付磁気体内筒
１７    磁極貼付磁気体外筒
１８    スラスト受けつば
１９    コイル筒間絶縁物
２０    コイル引出タップ線
２１    サージ電流突入方向
２２    ２１方向への電流突入時のコイル線発生電流方向
２３    フレミング右手則による電流方向
２４    モーター内筒磁極ローター
２５    モーター外筒電極筒
２６    モーター軸テンションスプリング
２７    モーター外筒磁極筒
２８    モーター内筒電極筒ローター
２９    モーター内筒磁極筒
３０    モーター軸受けベアリング
３１    磁気漏洩封密対抗磁石
３２    磁力線方向
３３    モーター内磁気感応導線
３４    モーター本体
３５  フレミング則力線方向
【図１】
2010252562.tif 000003
【図２】
2010252562.tif 000004
【図３】
2010252562.tif 000005
【図４】
2010252562.tif 000006
【図５】
2010252562.tif 000007
【図６】
2010252562.tif 000008
【図７】
2010252562.tif 000009
【図８】
2010252562.tif 000010
【図９】
2010252562.tif 000011
【図１０】
2010252562.tif 000012
【図１１】
2010252562.tif 000013
【図１２】
2010252562.tif 000014
【図１３】
2010252562.tif 000015
【図１４】
2010252562.tif 000016
【図１５】
2010252562.tif 000017
【図１６】
2010252562.tif 000018
【図１７】
2010252562.tif 000019
【図１８】
2010252562.tif 000020
【図１９】
2010252562.tif 000021
【図２０】
2010252562.tif 000022